(57)【要約】      （修正有）【課題】物流コストを削減するためにコンパクトな荷姿を実現する布団干しを提供する。【解決手段】布団干し１０は、布団載置部２０を複数具備するものであり、布団載置部２０は、支柱となる支柱部２１と、その支柱部２１と取り外し可能に連結し、かつ上部を構成する上部部材３０と、支柱部２１と取り外し可能に連結し、かつ下部を構成する下部部材４０と、を具備する。また、複数の布団載置部２０における各上部部材３０と、複数の布団載置部２０における各下部部材４０と、をそれぞれ取り外し可能かつ回転可能に連結されているターミナル部材６０と、をさらに有する。【選択図】図１
0003227061.tif 000002
【実用新案登録請求の範囲】
【請求項１】
支柱となる支柱部と、前記支柱部と取り外し可能に連結し、かつ上部を構成する上部部材と、前記支柱部と取り外し可能に連結し、かつ下部を構成する下部部材と、を具備する布団載置部と、を複数具備し、
前記複数の布団載置部における各上部部材と、
前記複数の布団載置部における各下部部材と、をそれぞれ取り外し可能かつ回転可能に連結されているターミナル部材と、をさらに有する布団干し。
【請求項２】
前記複数の布団載置部における下部部材は、さらに第１下部部材と、第２下部部材とをそれぞれ有し、
前記複数の第１下部部材と前記複数の第２下部部材は、それぞれ取り外し可能に連結されている請求項１記載の布団干し。
【請求項３】
前記複数の下部部材は、少なくとも３以上に分割可能に構成されている請求項１記載の布団干し。
【請求項４】
前記布団載置部は、４箇所有している請求項１から３のいずれかに記載の布団干し。
【考案の詳細な説明】
【技術分野】
【０００１】
本考案は、布団干しに関するものである。
【背景技術】
【０００２】
従来、布団を天日干しするための布団干しが販売されている。これらは布団を干すときに、載せるようにするために比較的大型のものである。
【０００３】
このようなものとして例えば、実用新案登録第３１５３４３６号において、「支柱の下端部に支柱の支持が可能な台板を設け、この台板上に支柱の外側に開いた複数本の支持脚を備え、支持脚は起倒可能に基部を軸支されて先端側に向けて下方傾斜し、支持脚が開いた時に支持脚の基部側が台板上に固定されて台板は浮き上がり、支柱側に起立した時に支柱に保持されること、支柱の上部には、複数の支持部材と複数の係止具が設けられ、放射状に略水平に突設した支持部材に、布団支持具が着脱可能に且つ略水平に取り付けられること、布団支持具は洗濯物干し具を支持するアームと、このアームの両側に連結し、アームと所定の間隔をおいてアームに沿って水平に設けられた布団支持枠とで構成されること、前記係止具は支持部材から外した布団支持具を吊り下げて保持することを特徴とする」という布団干しが開示されている。
【０００４】
上記布団干しを市販するためには、その布団干しを物流に載せる必要がある。しかしながら上記布団干しは嵩張るために、その物流コストは比較的大である。
【先行技術文献】
【特許文献】
【０００５】
【特許文献１】実用新案登録第３１５３４３６号公報
【考案の開示】
【考案が解決しようとする課題】
【０００６】
本考案は、前記の点に着目してなされたもので、その課題は、物流コストを削減するためにコンパクトな荷姿を実現する布団干しを提供することである。
【課題を解決するための手段】
【０００７】
前記の課題を解決するために、第１観点の布団干しは、支柱となる支柱部と、前記支柱部と取り外し可能に連結し、かつ上部を構成する上部部材と、支柱部と取り外し可能に連結し、かつ下部を構成する下部部材と、を具備する布団載置部と、を複数具備し、複数の布団載置部における各上部部材と、複数の布団載置部における各下部部材と、をそれぞれ取り外し可能かつ回転可能に連結されているターミナル部材と、をさらに有するというものである。
【０００８】
また、第２観点の布団干しは、第１観点において、複数の布団載置部における下部部材は、さらに第１下部部材と、第２下部部材とをそれぞれ有し、複数の第１下部部材と前記複数の第２下部部材は、それぞれ取り外し可能に連結されているというものである。
【０００９】
また、第３観点の布団干しは、第１観点において、複数の下部部材は、少なくとも３以上に分割可能に構成されているというものである。
【００１０】
また、第３観点の布団干しは、第１観点から第３観点において、布団載置部は、４箇所有しているというものである。
【考案の効果】
【００１１】
本考案は以上のように構成され、かつ、作用するものであるから、物流コストを削減するためにコンパクトな荷姿を実現する布団干しを提供することができる。
【図面の簡単な説明】
【００１２】
【図１】布団干しの斜視図である。
【図２】閉じた状態の布団干しの斜視図である。
【図３】支柱部の斜視図である。
【図４】上部部材の斜視図である。
【図５Ａ】下部部材の斜視図である。
【図５Ｂ】下部部材を、第１下部部材と第２下部部材との分離した状態図である。
【図６】ターミナル部の正面図である。
【考案を実施するための最良の形態】
【００１３】
以下、図示の実施形態を参照して本実施例の布団干し１０について説明する。本実施例の布団干し１０は、計４枚の布団を掛けることができる。すなわち、布団干し１０は、布団を掛けるための布団載置部２０を計４個有している。また、計４個の布団載置部２０を回転可能にかつ取り外し可能に取り付ける、ターミナル部６０を有している。
【００１４】
布団載置部２０は、正面視ほぼコの字状を呈し、支柱となる支柱部２１と、その支柱２１部と取り外し可能に連結し、かつ上部を構成する上部部材３０と、その支柱部２１と取り外し可能に連結し、かつ下部を構成する下部部材４０と、を有する。
【００１５】
支柱部２１は、ほぼ直線状であって、中空のパイプ材からなり、その上端部２２は、本体部２３よりその径が細く構成されている。また、同様に下端部２４も、本体部２３よりその径が細く構成されている。
【００１６】
上部部材３０は、ほぼ下向きのコの字状を呈するものである。また、その上部部材３０の一端部３１と他端部３２は、直線状の中空のパイプ材を折り曲げて構成し、開口する一端開口部３１ａと開口する他端開口部３２ａを有している。他端開口部３２ａは、上述の支柱部２１における径が小の上端部２２と取り外し可能に嵌合する。
【００１７】
下部部材４０は、第１下部部材４１と第２下部部材４６とを有し、それらは取り外し可能に構成されている。第１下部部材４１は、下方に突出部を有する曲線状を呈する第１屈曲部４２と、水平部４３とを有し、その突出部である第１屈曲部４２は、床面に接するものである。また、第２下部部材４６においても、下方に突出部を有する曲線状を呈する第２屈曲部４７と、第２水平部４８とを有し、その突出部である第２屈曲部４７は、床面に接するものである。
【００１８】
第１屈曲部４２と水平部４３は一体となるように接続され、第１屈曲部４２の一端部４２ａは開口している。また、水平部４３の他端部４３ａは、径が細く構成されていると共に、上下に出没可能な突起部４４を有している。この突起部４４は、下方に突出するように付勢されている。
【００１９】
第２屈曲部４７と第２水平部４８は一体となるように接続され、第２屈曲部４７の一端部４７ａは開口している。また、第２水平部４８の他端部４８ａは、開口すると共に、上下に出没可能であって下方に付勢されている上述の突起部４４が嵌合する孔部４９を有している。また、径が細く構成されている水平部４３における他端部４３ａは、開口している第２水平部４８における他端部４８ａと嵌合する。そのときに上述の突起部４４が孔部４９と嵌合する。従って図示しない使用者が下方に付勢されている突起部４４を、孔部４９から脱するように押し上げることにより、第１下部部材４１と第２下部部材４６とを分離することができる。
【００２０】
また、図示しないが、第１屈曲部４２および第２屈曲部４７の下方に水抜き穴を設けることもできる。屋外に設置する場合に、布団干し１０の内部に雨水が侵入する場合があり、それを、排水するためである。その水抜き孔は、第１屈曲部４２または第２屈曲部４７のいずれかに設けることもできる。
【００２１】
本実施例のターミナル部６０は、上記構成の布団載置部２０を４個を、取り外し可能かつ回転可能に取り付けることができる。ターミナル部６０は、上端に４箇所の上部部材取り付け部６１と、下端に４箇所の下部部材取り付け部６６とを有する。また、上部部材取り付け部６１と、下部部材取り付け部６６との間に配置されている２本のパイプ材からなる第２支柱部６９、６９が配置されている。第２支柱部６９、６９は、４箇所の上部部材取り付け部６１と、下部部材取り付け部６６のうち、外側に配置されている２箇所の上部部材取り付け部６１と、下部部材取り付け部と一体となるように構成されている。従って、内側に配置されている２箇所の上部部材取り付け部６１と、下部部材取り付け部６６との間は空所となる空間部７０である。
【００２２】
なお、上記構成の布団載置部２０を５個以上、取り外し可能かつ回転可能に取り付けることができる。すなわち、図示しないターミナル部の上端に５箇所以上の上部部材取り付け部と、下端に５箇所以上の下部部材取り付け部と有することで、布団載置部２０を５個以上取り付けることができるので、図示しない５枚以上の布団を掛けることができる。
【００２３】
上記構成の布団干し１０は、計４個有している布団載置部２０を、それぞれ開くことができる。すなわち、上部部材３０と下部部材４０は、それぞれターミナル部６０における上部部材取り付け部６１と、下部部材取り付け部６６と、に取り外し可能かつ、回転可能に嵌合しているので、図示しない使用者が、それぞれの布団載置部２０を開くことができる。この布団載置部２０に図示しない布団を掛けて布団を干すことができるというものである。
【００２４】
また、上記構成の布団干し１０は、計４個有している布団載置部２０と、ターミナル部６０とを取り外しすることができると共に、その布団載置部２０を、支柱部２１と、上部部材３０と、下部部材４０と、にさらに取り外しすることができる。また、下部部材４０は、第１下部部材４１と第２下部部材４６とに取り外しすることができる。このように、本実施例の布団干し１０は、４つの支柱部２１と、４つの上部部材３０と、４つの下部部材４０と、に取り外しすることができる。さらに、４つの下部部材４０は、４つの第１下部部材４１と４つの第２下部部材４６とに取り外しすることができる。従って、物流に載せる場合、すなわち輸送時において、上述の布団干し１０は、上記各部に分解することができるため、コンパクトな荷姿を実現することができるので、物流コストを削減することができる。なお、上記の構成に分解した本実施例の布団干し１０を梱包したときに、その梱包の各寸法の合計を１６０センチメートル以下にすることができる場合があり、その場合はさらに物流コストを削減することができる。また、本実施例の布団干し１０は、ステンレス製であることが好ましい。
【００２５】
尚、本実施例の下部部材４０は、第１下部部材４１と、第２下部部材４６と、の２部材に分離可能であるが、その下部部材４０を３以上の部材に分離可能にすることもできる。
【符号の説明】
【００２６】
１０  布団干し
２０  布団載置部
２１  支柱部
２２  上端部
２３  本体部
２４  下端部
３０  上部部材
４０  下部部材
４１  第１下部部材
４６  第２下部部材
６０  ターミナル部
【図１】
0003227061.tif 000003
【図２】
0003227061.tif 000004
【図３】
0003227061.tif 000005
【図４】
0003227061.tif 000006
【図５Ａ】
0003227061.tif 000007
【図５Ｂ】
0003227061.tif 000008
【図６】
0003227061.tif 000009